(57)【要約】      （修正有）【課題】給湯開始時の湯待ち時間を短縮可能で、装置構成が非常に簡易であり、かつ製造コストが安価で、既存の給湯器を利用して構成可能な給湯装置を提供する。【解決手段】給湯装置は、給湯器１０と、給湯器の給湯口１０ｂに配管接続された入湯口１５ａが下部に設けられていると共に出湯口１５ｂが上部に設けられ、保温機能のみを有する真空二重構造の保温器１５とを備える。給湯開始時は、給湯器からではなく保温器内に保温貯留された湯水が供給されるため、湯待ち時間が大幅に短縮される。また、給湯器と給湯栓との間に保温器を配管接続するだけであり、既存の給湯器を利用して構成可能である。【選択図】図１
0003196846.tif 000002
【実用新案登録請求の範囲】
【請求項１】
給湯器と、該給湯器の給湯口に配管接続された入湯口が下部に設けられていると共に出湯口が上部に設けられており、保温機能のみを有する真空二重構造の第１の保温器とを備えていることを特徴とする給湯装置。
【請求項２】
前記第１の保温器の保有水量が８〜１２リットルであることを特徴とする請求項１に記載の給湯装置。
【請求項３】
少なくとも１つの所定時刻に所定時間幅の第１の切替信号を出力する第１のタイムスイッチ手段と、前記第１の保温器の前記出湯口に配管接続されており、前記第１のタイムスイッチ手段からの前記第１の切替信号に応じて切替動作を行って前記第１の保温器からの水を排水するように構成された第１の電磁三方弁とをさらに備えていることを特徴とする請求項１又は２に記載の給湯装置。
【請求項４】
前記給湯器の前記給湯口と前記第１の保温器の前記入湯口との間の配管に挿入接続された第１の逆止弁をさらに備えていることを特徴とする請求項１から３のいずれか１項に記載の給湯装置。
【請求項５】
前記給湯栓の近傍において、前記第１の保温器の前記出湯口に配管接続された入湯口が下部に設けられていると共に出湯口が上部に設けられており、保温機能のみを有する真空二重構造の第２の保温器をさらに備えていることを特徴とする請求項１から４のいずれか１項に記載の給湯装置。
【請求項６】
前記第２の保温器の保有水量が８〜１２リットルであることを特徴とする請求項５に記載の給湯装置。
【請求項７】
少なくとも１つの所定時刻に所定時間幅の第２の切替信号を出力する第２のタイムスイッチ手段と、前記第２の保温器の前記出湯口に配管接続されており、前記第２のタイムスイッチ手段からの前記第２の切替信号に応じて切替動作を行い前記第２の保温器からの水を排水するように構成された第２の電磁三方弁とをさらに備えていることを特徴とする請求項５又は６に記載の給湯装置。
【請求項８】
前記第１の保温器の前記出湯口と前記第２の保温器の前記入湯口との間の配管に挿入接続された第２の逆止弁をさらに備えていることを特徴とする請求項５から７のいずれか１項に記載の給湯装置。
【考案の詳細な説明】
【技術分野】
【０００１】
本考案は、既設又は新設の給湯器を用いた給湯装置に係り、特に、給湯開始時における冷水の供給時間を短縮することができる給湯装置に関する。
【背景技術】
【０００２】
給湯開始時における冷水の供給時間、即ち給湯開始時の湯待ち時間を短縮する技術として、特許文献１には、貯湯タンクと、給湯栓近傍に設置され水道水を貯水する即湯タンクと、排熱発生源の排熱を貯湯タンク内温水として回収する排熱回収手段と、貯湯タンク内温水と即湯タンク内貯水とを熱交換するための温水循環回路とを設けた温水システムが記載されている。即湯タンク内の貯湯温度がある温度以下となると、熱交換器を介して即湯タンクの加熱が行われるので、給湯開始時に直ちに設定温度のお湯が供給され、湯待ち時間が短縮される。
【０００３】
また、特許文献２には、タンク給湯経路の配管容量とタンク給湯経路を流れる温水の流量とに基づいて、給湯開始時点で貯湯タンクから流出した温水が混合経路との接続部に到達する温水到達タイミングを特定し、温水利用箇所へ供給される温水の温度が設定温度となるように混合器を調整する給湯システムが記載されている。これにより、給湯開始から短時間で設定温度の温水を給湯することが可能となる。
【先行技術文献】
【特許文献】
【０００４】
【特許文献１】特開２００７−３０３６９９号公報
【特許文献２】特開２００９−２２２３２６号公報
【考案の概要】
【考案が解決しようとする課題】
【０００５】
しかしながら、特許文献１に記載のシステムによると、即湯タンクや貯湯タンク内の温水温度を測定し、ある温度以下と判断した場合に即湯タンクを加熱する等の制御を行う必要があるため、装置構成が非常に複雑となり、給湯装置の設置コストが高価となってしまう。また、既存の一般的な給湯器をそのまま利用してこの技術を適用することができなかった。
【０００６】
一方、特許文献２に記載のシステムによると、配管容量と温水流量とに基づいて温水到達タイミングを特定し、混合器を調整する必要があるため、装置構成が非常に複雑となり、給湯装置の設置コストが高価となってしまう。また、既存の一般的な給湯器をそのまま利用してこの技術を適用することができなかった。
【０００７】
従って本考案は、従来技術の上述した問題点を解消するものであり、給湯開始時の湯待ち時間を短縮可能な給湯装置であって、装置構成が非常に簡易であり、かつ製造コストが安価な給湯装置を提供することを目的としている。
【０００８】
本考案の他の目的は、給湯開始時の湯待ち時間を短縮可能な給湯装置であって、既存の一般的な給湯器を利用して構成可能な給湯装置を提供することにある。
【課題を解決するための手段】
【０００９】
本考案によれば、給湯器と、この給湯器の給湯口に配管接続された入湯口が下部に設けられていると共に出湯口が上部に設けられており、保温機能のみを有する真空二重構造の第１の保温器とを備えている給湯装置が提供される。
【００１０】
給湯器からの湯水は保温機能のみを有し保温効果が高い真空二重構造の第１の保温器内に導入され、この第１の保温器から給湯栓等に導かれる。給湯開始時は、給湯器からではなくこの第１の保温器内に保温貯留された湯水が給湯栓等に供給されるため、湯待ち時間が大幅に短縮される。特に、給湯器と給湯栓との間に保温機能のみを有する真空二重構造の第１の保温器を配管接続するだけであるため、給湯開始時の湯待ち時間を短縮可能な給湯装置であるにもかかわらず、装置構成が非常に簡易であり製造コストが安価であるのみならず、既存の一般的な給湯器を利用して構成可能である。なお、本明細書において使用する「給湯栓」なる用語は、お湯のみを供給する単水栓はもちろんのこと、お湯と水とを供給する混合栓をも含むものとする。
【００１１】
第１の保温器の保有水量が８〜１２リットルであることが好ましい。給湯開始時に無駄に流れる冷水の量は、給湯器の大きさにもよるが、おおよそ８〜１２リットルであることが知られており、第１の保温器の貯留できる量である保有水量をこの範囲とすることにより必要最小限の大きさの保温器で給湯開始時に素早く湯水を供給することができる。その結果、給湯装置の製造コストが安価となり、第１の保温器の寸法が小型化されるのでその設置が容易となる。
【００１２】
少なくとも１つの所定時刻に所定時間幅の第１の切替信号を出力する第１のタイムスイッチ手段と、第１の保温器の出湯口に配管接続されており、第１のタイムスイッチ手段からの第１の切替信号に応じて切替動作を行って第１の保温器からの水を排水するように構成された第１の電磁三方弁とをさらに備えていることも好ましい。長時間の経過によって冷えてしまった第１の保温器内の冷水を所定時刻に排水することにより、第１の保温器内には新たな湯水が給湯器から自動的に供給されるので、この湯水を給湯栓に直ちに給湯することができる。例えば、湯水を使用する時刻が定まっている場合は、その直前に第１の電磁三方弁を作動させて排水することにより、湯待ち時間無しに湯水を使用することができる。
【００１３】
給湯器の給湯口と第１の保温器の入湯口との間の配管に挿入接続された第１の逆止弁をさらに備えていることも好ましい。
【００１４】
給湯栓の近傍において、第１の保温器の出湯口に配管接続された入湯口が下部に設けられていると共に出湯口が上部に設けられており、保温機能のみを有する真空二重構造の第２の保温器をさらに備えていることも好ましい。給湯栓の近傍に第２の保温器を設けることにより、第２の保温器から給湯栓までの配管距離が短くなり、湯待ち時間をほとんどゼロとすることができる。
【００１５】
第２の保温器の保有水量が８〜１２リットルであることも好ましい。給湯開始時に無駄に流れる冷水の量は、給湯器の大きさにもよるが、おおよそ８〜１２リットルであることが知られており、第２の保温器の貯留できる量である保有水量をこの範囲とすることにより必要最小限の大きさの保温器で給湯開始時に素早く湯水を供給することができる。その結果、給湯装置の製造コストが安価となり、第２の保温器の寸法が小型化されるのでその設置が容易となる。
【００１６】
少なくとも１つの所定時刻に所定時間幅の第２の切替信号を出力する第２のタイムスイッチ手段と、第２の保温器の出湯口に配管接続されており、第２のタイムスイッチ手段からの第２の切替信号に応じて切替動作を行い第２の保温器からの水を排水するように構成された第２の電磁三方弁とをさらに備えていることも好ましい。長時間の経過によって冷えてしまった第２の保温器内の冷水を所定時刻に排水することにより、第２の保温器内には新たな湯水が第１の保温器及び給湯器から自動的に供給されるので、この湯水を給湯栓に直ちに給湯することができる。例えば、湯水を使用する時刻が定まっている場合は、その直前に第２の電磁三方弁を作動させて排水することにより、湯待ち時間無しに湯水を使用することができる。
【００１７】
第１の保温器の出湯口と第２の保温器の入湯口との間の配管に挿入接続された第２の逆止弁をさらに備えていることも好ましい。
【考案の効果】
【００１８】
本考案の給湯装置によれば、給湯開始時は、給湯器からではなく第１の保温器内に保温貯留された湯水が給湯栓に供給されるため、湯待ち時間が大幅に短縮される。特に、給湯器と給湯栓との間に保温機能のみを有する真空二重構造の第１の保温器を配管接続するだけであるため、給湯開始時の湯待ち時間を短縮可能な給湯装置であるにもかかわらず、装置構成が非常に簡易であり製造コストが安価であるのみならず、既存の一般的な給湯器を利用して構成可能である。
【図面の簡単な説明】
【００１９】
【図１】本考案の給湯装置の一実施形態の全体構成を概略的に示すブロック図である。
【図２】図１の給湯装置における第１の保温器の構成を示す部分断面図である。
【図３】本考案の給湯装置の他の実施形態の全体構成を概略的に示すブロック図である。
【考案を実施するための形態】
【００２０】
図１は本考案の給湯装置の一実施形態の全体構成を概略的に示しており、図２はこの給湯装置おける保温器の構成を部分断面で示している。
【００２１】
図１に示すように、給湯器１０の給水口１０ａは給水配管１１及びその途中に挿入された手動開閉弁１２を介して水道給水管（図示なし）に接続されており、給湯器１０の給湯口１０ｂは給湯配管１３及びその途中に挿入された第１の逆止弁（以下、本実施形態においては単に逆止弁と称する）１４を介して第１の保温器（以下、本実施形態においては単に保温器と称する）１５の入湯口１５ａに接続されている。
【００２２】
保温器１５の出湯口１５ｂは給湯配管１６、その途中に設けられた第１の電磁三方弁（以下、本実施形態においては単に電磁三方弁と称する）１７及び給湯配管１８を介して、風呂場の給湯栓１９、洗面台の給湯栓２０、洗面台の給湯栓２１及び台所の給湯栓２２に接続されている。電磁三方弁１７はさらに排水配管２３を介して保温器１５内の水を排水できるように構成されている。この電磁三方弁１７は、第１のタイムスイッチ（本考案の第１のタイムスイッチ手段に対応する、以下、本実施形態においては単にタイムスイッチと称する）２４からの切替信号によって切替制御されるように構成されている。本実施形態においては、電磁三方弁１７として三方弁（ＥＡＬ１００ＴＮＥ）を使用しており、タイムスイッチ２４としてタイムスイッチ（ＴＢ２６１１０１Ｋ）を使用している。
【００２３】
給湯器１０は、例えばガス式、電気式、石油式又は太陽熱式の給湯器であり、瞬間式であっても貯湯式であっても又は他の形式のものであっても良い。この給湯器１０は、給湯口１０ｂを介して接続されている給湯配管１３内の湯圧に応じて自動的に作動し、給湯配管１３内の湯圧が閾値より低下すると作動して湯水の供給を行い、給湯配管１３内の湯圧が閾値を超えると湯水の供給を停止するように構成されている。
【００２４】
保温器１５は、全体が円筒形状に構成されたステンレススチール（ＳＵＳ３０４、厚さ１．０ｍｍ）製の容器であり、図２に示すように、その外壁１５ｃと内壁１５ｄとの間に高度の真空状態に保たれた空間１５ｅが設けられた保温機能のみを有する真空二重構造となっている。空間１５ｅは、逆止弁付きの真空引き口１５ｆを介して真空引きされている。この保温器１５は、内部に貯留された湯水を長時間保温するいわゆる魔法瓶のような効果を奏するものである。給湯器１０に接続される入湯口１５ａは保温器１５の下部に設けられ、電磁三方弁１７に接続される出湯口１５ｂは保温器１５の上部に設けられている。保温器１５の外形寸法としては、単なる一例であるが、高さが４８５ｍｍ、直径が２００ｍｍであり、内形寸法としては、単なる一例であるが、高さが４５０ｍｍ、直径が１７５ｍｍである。また、この保温器１５の貯留できる量である保有水量は、８〜１２リットルであり、望ましくは約１０リットルである。保温器１５の保有水量を８〜１２リットルとすることについて、以下、説明する。
【００２５】
家庭用で使用されている一般的な給湯器からの単位時間当たりの出湯量は、給湯器の大きさにもよるが、おおよそ１６〜２０リットル／分である。給湯栓からの冷水が湯水となるまでの家庭平均データが２０〜３０秒であるため、給湯開始時に無駄に流れる冷水の量は、多くて、おおよそ８〜１２リットルとなる。保温器１５の保有水量をこの範囲とすることにより必要最小限の容量の保温器１５で給湯開始時に素早く湯水を供給することができる。その結果、給湯装置の製造コストが安価となり、保温器の寸法が小型化されるのでその設置が容易となる。
【００２６】
また、本実施形態の給湯装置によれば、この無駄になる８〜１２リットル（１人、１日当たり）の水が節約できるため、例えば、５人家族の場合、１日当たりの無駄になる水は８〜１２リットル×５＝４０〜６０リットル、１ヶ月当たりの無駄になる水は４０〜６０リットル×３０＝１２００〜１８００リットル、１年当たりの無駄になる水は１２００〜１８００リットル×１２＝１４４００〜２１６００リットル（１４．４〜２１．６１ｍ３）の節約が可能となる。水道料金は約１ｍ３＝１０００円であるため、年間で１４４００〜２１６００円の水道料金の節約ができる。さらに、ガス料金も毎月５００円前後、１年で６０００円前後の節約ができることとなる。
【００２７】
電磁三方弁１７は、通常時は給湯配管１６を給湯配管１８に連通させることにより保温器１５からの湯水を給湯栓１９〜２２へ供給するが、所定時刻にタイムスイッチ２４からの所定時間幅の切替信号が印加されると、その切替信号の所定時間幅の間、給湯配管１６を排水配管２３に連通させることにより保温器１５内の水を排水する。このように、長時間経過によって冷めてしまった保温器１５内の冷水を所定時刻に排水することにより、保温器１５内には新たな湯水が給湯器１０から自動的に供給されるので、この湯水を給湯栓１９〜２２に直ちに給湯することができる。例えば、湯水を使用する時刻が定まっている場合は、その直前に電磁三方弁１７を作動させて保温器１５内の冷めた水を排水し新たな湯水をこの保温器１５に貯留させることにより、湯待ち時間無しに湯水を使用することができる。具体的な例を挙げると、例えば、朝７時にお湯を使用したいときには、その直前の６時５９分に３０〜６０秒の時間幅の切替信号を印加することにより、その３０〜６０秒の間、冷水が排出され新たな湯水が給湯器１０から供給されて保温器１５内に貯留されるため、給湯開始から１〜２秒の短時間で直ちにお湯が使用可能となる。さらに、タイムスイッチ２４として、１日に複数回（例えば７回）の予約が可能なものを使用すれば、複数時刻で同様な切替制御を行うことができ、複数人数が快適にお湯を使用することができる。
【００２８】
次に、本実施形態の給湯装置の動作を説明する。
【００２９】
初期状態として、保温器１５に湯水が収容されていない状態で給湯器１０を作動させると、給湯器１０から湯水が供給され、保温器１５及び全ての給湯配管１３、１６及び１８に湯水が満たされる。これにより給湯配管１３内の湯水の圧力が高まるため、給湯器１０からの湯水供給が停止する。
【００３０】
この状態で給湯栓１９〜２２のいずれかが開かれると、給湯配管１６及び１８内並びに保温器１５内の湯水がその給湯栓に供給される。保温器１５がその真空二重構造により内部の湯水を長時間にわたって保温しているため、この保温器１５内に保温貯留されている冷めていない湯水がその給湯栓に直ちに短時間で供給される。保温器１５内の湯水が放出されると、給湯配管１３内の湯水圧力が低くなるため、給湯器１０から新たな湯水の供給が行われる。このように、給湯開始時は、給湯器１０からではなく保温器１５内に保温貯留された湯水が最初に給湯栓に供給されるため、湯待ち時間が大幅に短縮される。また、１日に１回程度、例えば湯水を使用する時刻の直前に、タイムスイッチ２４から電磁三方弁１７に切替信号が印加され、この電磁三方弁１７が作動して保温器１５内の水が排水される。このように、長時間経過によって冷めてしまった保温器１５内の冷水を所定時刻に排水することにより、保温器１５内には新たな湯水が給湯器１０から自動的に供給され、この新たな湯水が給湯栓１９〜２２に給湯される。
【００３１】
以上詳細に説明したように、本実施形態によれば、給湯開始時は、給湯器１０からではなく保温器１５内に保温貯留された湯水が給湯栓１９〜２２に供給されるため、湯待ち時間が大幅に短縮される。特に、給湯器１０と給湯栓との間に保温機能のみを有する真空二重構造の保温器１５を配管接続するだけであるため、給湯開始時の湯待ち時間を短縮可能な給湯装置であるにもかかわらず、装置構成が非常に簡易であり製造コストが安価であるのみならず、既存の一般的な給湯器を利用して構成可能である。さらに、保温器１５の保有水量が、給湯開始時に無駄に流れる冷水の量に相応する８〜１２リットル、望ましくは約１０リットルであるため、必要最小限の大きさの保温器１５で給湯開始時に素早く湯水を供給することができる。その意味からも給湯装置の製造コストが安価となり、保温器１５の寸法が小型化されるのでその設置が容易となる。さらにまた、所定時刻に電磁三方弁１７を作動させて、長時間経過によって冷えてしまった保温器１５内の冷水を排水し、保温器１５内には新たな湯水が給湯器１０から自動的に供給しているため、この湯水を給湯栓１９〜２２に直ちに給湯することができる。
【００３２】
図３は本考案の給湯装置の他の実施形態の全体構成を概略的に示している。なお、本実施形態において、図１の実施形態の場合と同様な構成要素には、同じ参照符号を用いるものとする。
【００３３】
図３に示すように、給湯器１０の給水口１０ａは給水配管１１及びその途中に挿入された手動開閉弁１２を介して水道給水管に接続されており、給湯器１０の給湯口１０ｂは給湯配管１３及びその途中に挿入された第１の逆止弁１４を介して第１の保温器１５の入湯口１５ａに接続されている。
【００３４】
第１の保温器１５の出湯口１５ｂは給湯配管１６、その途中に設けられた第１の電磁三方弁１７及び給湯配管１８を介して、風呂場の給湯栓１９、洗面台の給湯栓２０及び洗面台の給湯栓２１に接続されていると共に給湯配管２５及びその途中に挿入された第２の逆止弁２６を介して第２の保温器２７の入湯口２７ａに接続されている。第１の電磁三方弁１７はさらに排水配管２３を介して冷水を排水できるように構成されている。この第１の電磁三方弁１７は、第１のタイムスイッチ（本考案の第１のタイムスイッチ手段に対応する）２４からの切替信号によって切替制御されるように構成されている。
【００３５】
第２の保温器２７の出湯口２７ｂは給湯配管２８、その途中に設けられた第２の電磁三方弁２９及び給湯配管３０を介して、台所の給湯栓２２に接続されている。第２の電磁三方弁２９はさらに排水配管３１を介して冷水を排水できるように構成されている。この第２の電磁三方弁２９は、第２のタイムスイッチ（本考案の第２のタイムスイッチ手段に対応する）３２からの切替信号によって切替制御されるように構成されている。本実施形態においては、第１及び第２の電磁三方弁１７及び２９として三方弁（ＥＡＬ１００ＴＮＥ）を使用しており、第１及び第２のタイムスイッチ２４及び３２としてタイムスイッチ（ＴＢ２６１１０１Ｋ）を使用している。
【００３６】
給湯器１０は、例えばガス式、電気式、石油式又は太陽熱式の給湯器であり、瞬間式であっても貯湯式であっても又は他の形式のものであっても良い。この給湯器１０は、給湯口１０ｂを介して接続されている給湯配管１３内の湯圧に応じて自動的に作動し、給湯配管１３内の湯圧が閾値より低下すると作動して湯水の供給を行い、給湯配管１３内の湯圧が閾値を超えると湯水の供給を停止するように構成されている。
【００３７】
第１の保温器１５は、全体が円筒形状に構成されたステンレススチール（ＳＵＳ３０４、厚さ１．０ｍｍ）製の容器であり、図２に示すように、その外壁１５ｃと内壁１５ｄとの間に高度の真空状態に保たれた空間１５ｅが設けられた真空二重構造となっている。空間１５ｅは、逆止弁付きの真空引き口１５ｆを介して真空引きされている。この第１の保温器１５は、内部に貯留された湯水を長時間保温するいわゆる魔法瓶のような効果を奏するものである。第１の逆止弁１４及び給湯配管１３を介して給湯器１０に接続されている入湯口１５ａは第１の保温器１５の下部に設けられ、第１の電磁三方弁１７に接続されている出湯口１５ｂは第１の保温器１５の上部に設けられている。
【００３８】
第２の保温器２７も、第１の保温器１５と同様な構成を有している。ただし、この第２の保温器２７は、台所の給湯栓２２の近傍に設置されている。また、第２の保温器２７の入湯口２７ａはこの第２の保温器２７の下部に設けられ、第２の逆止弁２６並びに給湯配管２５及び１８を介して第１の電磁三方弁１７に接続されている。また、この第２の保温器２７の出湯口２７ｂはこの第２の保温器２７の上部に設けられ、第２の電磁三方弁２８に接続されている。
【００３９】
第１の保温器１５及び第２の保温器２７の各々の外形寸法としては、単なる一例であるが、高さが４８５ｍｍ、直径が２００ｍｍであり、内形寸法としては、単なる一例であるが、高さが４５０ｍｍ、直径が１７５ｍｍである。また、第１の保温器１５及び第２の保温器２７の各々の貯留できる量である保有水量は、８〜１２リットルであり、望ましくは約１０リットルである。第１の保温器１５及び第２の保温器２７の各々の保有水量を８〜１２リットルとすることについては前述した通りである。
【００４０】
また、本実施形態の給湯装置によれば、この無駄になる８〜１２リットル（１人、１日当たり）の水が節約できるため、例えば、５人家族の場合、１日当たりの無駄になる水は８〜１２リットル×５＝４０〜６０リットル、１ヶ月当たりの無駄になる水は４０〜６０リットル×３０＝１２００〜１８００リットル、１年当たりの無駄になる水は１２００〜１８００リットル×１２＝１４４００〜２１６００リットル（１４．４〜２１．６１ｍ３）の節約が可能となる。水道料金は約１ｍ３＝１０００円であるため、年間で１４４００〜２１６００円の水道料金の節約ができる。さらに、ガス料金も毎月５００円前後、１年で６０００円前後の節約ができることとなる。
【００４１】
第１の電磁三方弁１７は、通常時は給湯配管１６を給湯配管１８に連通させることにより第１の保温器１５からの湯水を給湯栓１９〜２１及び第２の保温器２７へ供給するが、所定時刻に第１のタイムスイッチ２４からの所定時間幅の切替信号が印加されると、その切替信号の所定時間幅の間、給湯配管１６を排水配管２３に連通させることにより第１の保温器１５内の水を排水する。このように、長時間経過によって冷めてしまった第１の保温器１５内の冷水を所定時刻に排水することにより、第１の保温器１５内には新たな湯水が給湯器１０から自動的に供給されるので、この湯水を給湯栓１９〜２１及び第２の保温器２７に直ちに給湯することができる。例えば、湯水を使用する時刻が定まっている場合は、その直前に第１の電磁三方弁１７を作動させて第１の保温器１５内の冷めた水を排水し新たな湯水をこの第１の保温器１５に貯留させることにより、湯待ち時間無しに湯水を使用することができる。具体的な例を挙げると、例えば、朝７時にお湯を使用したいときには、その直前の６時５９分に３０〜６０秒の時間幅の切替信号を印加することにより、その３０〜６０秒の間、冷水が排出され新たな湯水が給湯器１０から供給されて第１の保温器１５内に貯留されるため、給湯開始から１〜２秒の短時間で直ちにお湯が使用可能となる。さらに、第１のタイムスイッチ２４として、１日に複数回（例えば７回）の予約が可能なものを使用すれば、複数時刻で同様な切替制御を行うことができ、複数人数が快適にお湯を使用することができる。
【００４２】
第２の電磁三方弁２９は、通常時は給湯配管２８を給湯配管３０に連通させることにより第２の保温器２７からの湯水を給湯栓２２へ供給するが、所定時刻に第２のタイムスイッチ３２からの所定時間幅の切替信号が印加されると、その切替信号の所定時間幅の間、給湯配管２８を排水配管３１に連通させることにより第２の保温器２７内の水を排水する。このように、長時間経過によって冷めてしまった第２の保温器２７内の冷水を所定時刻に排水することにより、第２の保温器２７内には新たな湯水が第１の保温器１５及び給湯器１０から自動的に供給されるので、この湯水を給湯栓２２にさらに短時間で直ちに給湯することができる。例えば、湯水を使用する時刻が定まっている場合は、その直前に第２の電磁三方弁２９を作動させて第２の保温器２７内の冷めた水を排水し新たな湯水をこの第２の保温器２７に貯留させることにより、湯待ち時間無しに湯水を使用することができる。具体的な例を挙げると、例えば、朝７時にお湯を使用したいときには、その直前の６時５９分に３０〜６０秒の時間幅の切替信号を印加することにより、その３０〜６０秒の間、冷水が排出され新たな湯水が第１の保温器１５及び給湯器１０から供給されて第２の保温器２７内に貯留されるため、給湯開始から１〜２秒の短時間で直ちにお湯が使用可能となる。さらに、第２のタイムスイッチ３２として、１日に複数回（例えば７回）の予約が可能なものを使用すれば、複数時刻で同様な切替制御を行うことができ、複数人数が快適にお湯を使用することができる。
【００４３】
次に、本実施形態の給湯装置の動作を説明する。
【００４４】
初期状態として、第１の保温器１５及び第２の保温器２７に湯水が収容されていない状態で給湯器１０を作動させると、給湯器１０から湯水が供給され、第１の保温器１５、第２の保温器２７及び全ての給湯配管１３、１６、１８、２５、２８及び３０に湯水が満たされる。これにより給湯配管１３内の湯水の圧力が高まるため、給湯器１０からの湯水供給が停止する。
【００４５】
この状態で給湯栓１９〜２１のいずれかが開かれると、給湯配管１６及び１８内並びに第１の保温器１５内の湯水がその給湯栓に供給される。第１の保温器１５がその真空二重構造により内部の湯水を長時間にわたって保温しているため、この第１の保温器１５内に保温貯留されている冷めていない湯水がその給湯栓に直ちに短時間で供給される。第１の保温器１５内の湯水が放出されると、給湯配管１３内の湯水圧力が低くなるため、給湯器１０から新たな湯水の供給が行われる。このように、給湯開始時は、給湯器１０からではなく第１の保温器１５内に保温貯留された湯水が最初に給湯栓に供給されるため、湯待ち時間が大幅に短縮される。また、１日に１回程度、例えば湯水を使用する時刻の直前に、第１のタイムスイッチ２４から第１の電磁三方弁１７に切替信号が印加され、この第１の電磁三方弁１７が作動して第１の保温器１５内の水が排水される。このように、長時間経過によって冷めてしまった第１の保温器１５内の冷水を所定時刻に排水することにより、第１の保温器１５内には新たな湯水が給湯器１０から自動的に供給され、この新たな湯水が給湯栓１９〜２１に給湯される。
【００４６】
一方、この状態で台所の給湯栓２２が開かれると、給湯配管２８及び３０内並びに第２の保温器２７内の湯水がこの給湯栓２２に供給されると共に、第２の保温器２７に給湯配管２５、１８及び１６内並びに第１の保温器１５内の湯水が供給される。第２の保温器２７がその真空二重構造により内部の湯水を長時間にわたって保温しているため、この第２の保温器２７内に保温貯留されている冷めていない湯水が給湯栓２２に直ちに短時間で供給される。しかも、この第２の保温器２７が給湯栓２２の近傍に設置されているため、より短時間で給湯が行われる。第２の保温器２７内の湯水が放出されると第１の保温器１５内の湯水も供給されるので、給湯配管１３内の湯水圧力が低くなり、給湯器１０から新たな湯水の供給が行われる。このように、給湯開始時は、給湯器１０からではなく第２の保温器２７内に保温貯留された湯水が最初に給湯栓に供給されるため、湯待ち時間が大幅に短縮される。また、１日に１回程度、例えば湯水を使用する時刻の直前に、第２のタイムスイッチ３２から第２の電磁三方弁２９に切替信号が印加され、この第２の電磁三方弁２９が作動して第２の保温器２７内の水が排水される。このように、長時間経過によって冷めてしまった第２の保温器２７内の冷水を所定時刻に排水することにより、第２の保温器２７内には新たな湯水が第１の保温器１５及び給湯器１０から自動的に供給され、この新たな湯水が給湯栓２２に給湯される。
【００４７】
以上詳細に説明したように、本実施形態によれば、給湯栓１９〜２１については、給湯開始時に給湯器１０からではなく第１の保温器１５内に保温貯留された湯水が供給されるため、湯待ち時間が大幅に短縮される。さらに、給湯栓２２については、給湯開始時に給湯器１０からではなく第２の保温器２７内に保温貯留された湯水が供給されるため、湯待ち時間がさらに大幅に短縮される。特に、給湯器１０と給湯栓との間に保温機能のみを有する真空二重構造の第１の保温器１５及び第２の保温器２７を配管接続するだけであるため、給湯開始時の湯待ち時間を短縮可能な給湯装置であるにもかかわらず、装置構成が非常に簡易であり製造コストが安価であるのみならず、既存の一般的な給湯器を利用して構成可能である。特に本実施形態では、第２の保温器２７が給湯栓２２の近傍に設置されているため、より短時間で給湯が行われる。さらに、第１の保温器１５及び第２の保温器２７の各々の保有水量が、給湯開始時に無駄に流れる冷水の量に相応する８〜１２リットル、望ましくは約１０リットルであるため、必要最小限の大きさの第１の保温器１５及び第２の保温器２７で給湯開始時に素早く湯水を供給することができる。その意味からも給湯装置の製造コストが安価となり、第１の保温器１５及び第２の保温器２７の寸法が小型化されるのでその設置が容易となる。さらにまた、所定時刻に第１の電磁三方弁１７又は第２の電磁三方弁２９を作動させて、長時間経過によって冷えてしまった第１の保温器１５又は第２の保温器２７内の冷水を排水し、第１の保温器１５又は第２の保温器２７内には新たな湯水が給湯器１０から自動的に供給しているため、この湯水を給湯栓１９〜２２に直ちに給湯することができる。
【００４８】
なお、図３の実施形態においては、第２の保温器２７が台所の給湯栓２２の近傍に設置され、この給湯栓２２に給湯するように構成されているが、他の給湯栓１９〜２１の近傍に設置しいずれかの給湯栓に給湯するように構成しても良いことは明かである。また、３つ以上の保温器を設置してももちろん良い。
【００４９】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００５０】
１０  給湯器
１０ａ  給水口
１０ｂ  給湯口
１１、１３、１６、１８、２５、２８、３０  給水配管
１２  手動開閉弁
１４  第１の逆止弁
１５  第１の保温器
１５ａ、２７ａ  入湯口
１５ｂ、２７ｂ  出湯口
１５ｃ  外壁
１５ｄ  内壁
１５ｅ  空間
１５ｆ  真空引き口
１７  第１の電磁三方弁
１９、２０、２１、２２  給湯栓
２３、３１  排水配管
２４  第１のタイムスイッチ
２６  第２の逆止弁
２７  第２の保温器
２９  第２の電磁三方弁
３２  第２のタイムスイッチ
【図１】
0003196846.tif 000003
【図２】
0003196846.tif 000004
【図３】
0003196846.tif 000005
【手続補正書】
【提出日】平成27年2月3日(2015.2.3)
【手続補正１】
【補正対象書類名】実用新案登録請求の範囲
【補正対象項目名】全文
【補正方法】変更
【補正の内容】
【実用新案登録請求の範囲】
【請求項１】
給湯器と、該給湯器の給湯口に配管接続された入湯口が下部に設けられていると共に出湯口が上部に設けられており、保温機能のみを有する真空二重構造の第１の保温器とを備えていることを特徴とする給湯装置。
【請求項２】
前記第１の保温器の保有水量が８〜１２リットルであることを特徴とする請求項１に記載の給湯装置。
【請求項３】
少なくとも１つの所定時刻に所定時間幅の第１の切替信号を出力する第１のタイムスイッチ手段と、前記第１の保温器の前記出湯口に配管接続されており、前記第１のタイムスイッチ手段からの前記第１の切替信号に応じて切替動作を行って前記第１の保温器からの水を排水するように構成された第１の電磁三方弁とをさらに備えていることを特徴とする請求項１又は２に記載の給湯装置。
【請求項４】
前記給湯器の前記給湯口と前記第１の保温器の前記入湯口との間の配管に挿入接続された第１の逆止弁をさらに備えていることを特徴とする請求項１から３のいずれか１項に記載の給湯装置。
【請求項５】
給湯栓の近傍において、前記第１の保温器の前記出湯口に配管接続された入湯口が下部に設けられていると共に出湯口が上部に設けられており、保温機能のみを有する真空二重構造の第２の保温器をさらに備えていることを特徴とする請求項１から４のいずれか１項に記載の給湯装置。
【請求項６】
前記第２の保温器の保有水量が８〜１２リットルであることを特徴とする請求項５に記載の給湯装置。
【請求項７】
少なくとも１つの所定時刻に所定時間幅の第２の切替信号を出力する第２のタイムスイッチ手段と、前記第２の保温器の前記出湯口に配管接続されており、前記第２のタイムスイッチ手段からの前記第２の切替信号に応じて切替動作を行い前記第２の保温器からの水を排水するように構成された第２の電磁三方弁とをさらに備えていることを特徴とする請求項５又は６に記載の給湯装置。
【請求項８】
前記第１の保温器の前記出湯口と前記第２の保温器の前記入湯口との間の配管に挿入接続された第２の逆止弁をさらに備えていることを特徴とする請求項５から７のいずれか１項に記載の給湯装置。